(57)【要約】【課題】従来の形状はＯタイプの電源プラグの固定のため、爪の形状がアンダーカットと呼ばれる通常の金型構造では構成できない形状があり、スライド金型のような複雑な金型が必要であった。【解決手段】上面の斜面はＯタイプ電源プラグ端子に対応した角度で形成され、側面は向爪の最も間隔が狭いところでＢＦタイプ電源プラグ端子の幅に対し狭い寸法に設定され、下面はＢ及びＣタイプ電源プラグの端子の固定に対応した爪形状が形成されている向かい合わせの二組の爪部と、向かい合わせの二組の爪部の前方に爪の最も間隔がＢＦタイプ電源プラグ端子の厚みに対し狭い寸法に設定されている向かい合わせの爪部と、Ｏタイプ電源プラグの端子の固定に対応した爪形状が形成されている背中合わせの爪部と、Ｂ及びＣタイプ電源プラグ端子を受ける台座と、Ｏタイプの電源プラグの受けるように高さを設定した１組のプラグ受けリブとを備えた。【選択図】図１
2007026791.tif 000002
【特許請求の範囲】
【請求項１】
弾力性を有して対向するとともに、上面の斜面はハの字状のＯタイプ電源プラグ端子に対応した角度で形成され、側面は向かい合わせとなっている爪の最も間隔が狭いところでＢＦタイプ電源プラグ端子の幅に対し狭い寸法に設定され、下面はＢ及びＣタイプ電源プラグの端子の固定に対応した爪形状が形成されている向かい合わせの二組の爪部と、
前記向かい合わせの二組の爪部の前方に配設され、爪の最も間隔が狭いところでＢＦタイプ電源プラグ端子の厚みに対し狭い寸法に設定されている弾力性を有する向かい合わせの爪部と、
前記２種類の爪部の中間に配設され、Ｏタイプ電源プラグの端子の固定に対応した爪形状が形成されている弾力性を有する背中合わせの爪部と、
Ｂタイプ電源プラグ端子及びＣタイプ電源プラグ端子を受ける台座と、
Ｏタイプの電源プラグの受けるように高さを設定した１組のプラグ受けリブと
を備えた電源プラグ固定装置。
【発明の詳細な説明】
【技術分野】
【０００１】
本発明は、ＡＶ機器の電源コードプラグの固定に関するもので、特に製品輸送時の電源コードプラグを仮固定する構造に関するものである。
【背景技術】
【０００２】
ＡＣ電源で動作するＡＶ機器は、電源供給のために電源コードを有しているが、その先端のプラグは、国によりその規格が異なるため、種々の形状が存在している。また、製品輸送時には電源コードプラグを仮固定する必要があり、仕向け地に対して異なる形状のプラグに対応しなければならない。
【０００３】
異なる形状のプラグを仮固定する従来技術として、ヨーロッパ、アジア用の主な４タイプの電源コードプラグを固定する構造が提案されている（例えば、特許文献１を参照）。
【０００４】
この従来技術の構造を図１２に示す。本図の構造において、２つの嵌合部を有するＭ形状爪１１１が各種形状をしているプラグの端子を弾性力により保持し、プラグの仮固定を可能とするものである。特にＯタイプ電源プラグ（詳細は後述。特許文献１記載のＳタイププラグに相当）の固定については、電源プラグ端子がハの字状になっているので、図１２（ｃ）において、電源プラグ端子がＳタイププラグ端子嵌合部１１２に当接し、かつ、固定用爪１１３よって図面上方への抜けを防止して当該プラグの仮固定を行っている。
【特許文献１】特開平１０−００３９６４号公報
【発明の開示】
【発明が解決しようとする課題】
【０００５】
しかしながら、上記の従来技術で示した構造では、Ｏタイプ電源プラグの固定のための固定用爪の形状が通常の一方向（図１２（ｃ）においては上下方向）の開閉による金型構造では構成できないアンダーカットと呼ばれる形状を用いており、スライド金型のような複雑な金型が必要であった。また、固定用爪の突起形状は他のタイプの電源プラグ挿入の妨げとなるため大きくできないので強度が取れず、数回プラグの付け外しを行うと削れてプラグを保持できなくなる問題があった。
【課題を解決するための手段】
【０００６】
そこで、本発明の電源コードプラグ固定装置は、弾力性を有して対向するとともに、上面の斜面はハの字状のＯタイプ電源プラグ端子に対応した角度で形成され、側面は向かい合わせとなっている爪の最も間隔が狭いところでＢＦタイプ電源プラグ端子の幅に対し狭い寸法に設定され、下面はＢ及びＣタイプ電源プラグの端子の固定に対応した爪形状が形成されている向かい合わせの二組の爪部と、前記向かい合わせの二組の爪部の前方に配設され、爪の最も間隔が狭いところでＢＦタイプ電源プラグ端子の厚みに対し狭い寸法に設定されている弾力性を有する向かい合わせの爪部と、前記２種類の爪部の中間に配設され、Ｏタイプ電源プラグの端子の固定に対応した爪形状が形成されている弾力性を有する背中合わせの爪部と、Ｂタイプ電源プラグ端子及びＣタイプ電源プラグ端子を受ける台座と、Ｏタイプの電源プラグの受けるように高さを設定した１組のプラグ受けリブとを備えたものである。
【発明の効果】
【０００７】
本発明によれば、通常の金型構造にて構成可能であり、形状や大きさの異なる４種類のプラグをワンタッチで安定した取り付けを可能にするものである。これにより、荷扱い時の落下等による傷付け、破損を防止して品質を向上させることができる。
【発明を実施するための最良の形態】
【０００８】
（実施の形態１）
本発明の実施の形態を説明する前に、本発明が対象としている４種類の電源プラグ形状について図３を用いて説明する。
【０００９】
図３（ａ）では、ＢＦタイプ電源プラグの外観斜視図、平面図、電源プラグ端子側から見た正面図を示している。ＢＦタイプ電源プラグの特徴は、一対の角柱状の端子の他に、さらに端子を有して３端子を備えている所にある。
【００１０】
図３（ｂ）では、Ｂタイプ電源プラグの外観斜視図、平面図、電源プラグ端子側から見た正面図を示している。Ｂタイプ電源プラグは一対の円柱状の端子を備えている。この端子はストレートではなく途中に段差があり、かつ、平行ではなくやや傾いたものとなっている。
【００１１】
図３（ｃ）では、Ｃタイプ電源プラグの外観斜視図、平面図、電源プラグ端子側から見た正面図を示している。Ｃタイプ電源プラグは、Ｂタイプ電源プラグと同様に一対の円柱状の端子を備えているが、Ｂタイプと異なるところは、この端子はストレートで、かつ平行になっているところである。なお、ＢタイプとＣタイプのプラグ全体の形状については、メーカーによって異なり、本図においてはその一例を示すものである。
【００１２】
図３（ｄ）では、Ｏタイプ電源プラグの外観斜視図、平面図、電源プラグ端子側から見た正面図を示している。Ｏタイプ電源プラグの特徴は、一対の角柱状の端子を有しているが、正面図に示されるように、その形状と配置がハの字状になっている所にある。
【００１３】
次に、本発明の電源コードプラグ固定装置の実施形態の構成の一例を、図面を用いて説明する。図１は本発明の実施形態の構成の一例を示す平面図ならびに主要断面図である。また、図２には同構成の外観斜視図を示す。なお、各図において同一部位については同一の符号を付している。
【００１４】
向かい合わせの爪１はＢＦタイプ電源プラグ端子の固定を行うもので、爪の最も間隔が狭いところで、ＢＦタイプ電源プラグ端子の幅に対してやや狭いしまりバメとなる寸法に設定されている。また、図１のＡ−Ａ断面に示されるように、向かい合わせの爪１は図面左右方向で金型を開くことできる構造である。角孔２はＢＦタイプ電源プラグの端子が挿入されるもので、後述する向かい合わせの二組の爪４を形成する金型の逃げとなっている。背中合わせの爪３はＯタイプ電源プラグの端子の固定を行うものである。これも同様に、図１のＢ−Ｂ断面に示されるように、図面左右方向で金型を開くことできる構造となっている。
【００１５】
向かい合わせの二組の爪４は、その上面の斜面がハの字状のＯタイプ電源プラグ端子と対応した角度で形成され、側面は、向かい合わせとなっている爪の最も間隔が狭いところで、ＢＦタイプ電源プラグ端子の厚みに対してやや狭いしまりバメとなる寸法に設定され、下面がＢ及びＣタイプ電源プラグの端子の固定を行うようにかえりの爪形状が形成されている。
【００１６】
Ｌ字状のリブ５はＢ及びＣタイプ電源プラグが後方にずれるのを防止するようにプラグの寸法に対応して設けられている。へこませた穴６は、電源プラグの形状に合わせた凹みで、対応する最も大型の電源プラグを用いても当らないような形状ならびに寸法に設定している。プラグ受けリブ７は、その高さをＯタイプの電源プラグの受けるように設定し、その前後位置は、Ｂ及びＣタイプ電源プラグが前方にずれるのを防止するように、Ｌ字状のリブ５からの寸法が電源プラグ後端から端子先端までの寸法に嵌合するように設定している。受け台座８はＢ及びＣタイプ電源プラグ端子先端の受けである。
【００１７】
次に、上記構成によって４種類の電源プラグがどのように仮固定されるかを、各電源プラグ毎に図面を用いて説明する。なお、図１及び図２と同一の部位については同一の符号を付し、その説明は適宜省略する。
【００１８】
（ＢＦタイプ電源プラグの固定動作）
図４及び図５はＢＦタイプ電源プラグの固定に関するものである。図４は電源プラグの挿入動作及び挿入状況を示すものであり、図５は電源コードプラグ固定装置によって電源プラグが保持されている状態を示している。
【００１９】
ＢＦタイプ電源プラグ９には３本のＢＦタイプ電源プラグ端子１０がある。図４において、そのうち２本一対となっているＢＦタイプ電源プラグ端子１０は向かい合わせの二組の爪４に、残る１本は向かい合わせの爪１に挿入する。そして、爪の先端やリブの先端にＢＦタイプ電源プラグ９を当接させる。これにより、ＢＦタイプ電源プラグ９の上下の位置が決まる。さらに、向かい合わせの爪１の金型の抜き孔となっている角孔がＢＦタイプ電源プラグ端子１０の幅寸法に嵌合するようにしてあり、これによって、ＢＦタイプ電源プラグ９の前後の位置が決まる。
【００２０】
図５において、向かい合わせの爪１及び向かい合わせの二組の爪４は、例えば樹脂で成形されたもので、その隙間は電源プラグの端子厚みや幅よりやや狭い寸法になっている。ＢＦタイプ電源プラグ端子１０を上方から挿入することにより向かい合わせの爪１及び向かい合わせの二組の爪４は押し広げられるため、その弾性力によってＢＦタイプ電源プラグ端子１０に対して圧着するような力が働く。この圧着力によりＢＦタイプ電源プラグ端子１０は固定される。
【００２１】
（Ｂタイプ電源プラグの固定動作）
図６及び図７はＢタイプ電源プラグの固定に関するものである。図６は電源プラグの挿入動作及び挿入状況を示すものであり、図７は電源コードプラグ固定装置によって電源プラグが保持されている状態を示している。
【００２２】
Ｂタイプ電源プラグ１１には２本の円筒状のＢタイプ電源プラグ端子１２がある。図６において、Ｂタイプ電源プラグ端子１２を向かい合わせの二組の爪４に挿入する。そして、受け台座８にＢタイプ電源プラグ端子１２を当接させる。これにより、Ｂタイプ電源プラグ１１の上下の位置が決まる。この状態で、Ｌ状のリブ５にＢタイプ電源プラグ１１の後端が、プラグ受けリブ７にＢタイプ電源プラグ端子１２の先端が当接、あるいは所定のクリアランスを持って嵌合し、これによって、Ｂタイプ電源プラグ１１の前後の位置が決まる。
【００２３】
図７において、向かい合わせの二組の爪４は、例えば樹脂で成形されたもので、その爪形状の下面１３は端子の形状に合わせた形状となっている。Ｂタイプ電源プラグ端子１２を上方から挿入すると向かい合わせの二組の爪４は内側方向へたわみ、更に挿入すると爪形状を乗り越え、受け台８の上面に乗ることになり、向かい合わせの二組の爪４と受け台８によってＢタイプ電源プラグ端子１２がはさまれて上下方向の動きが固定される。Ｌ状のリブ５はＢタイプ電源プラグ１１の寸法に合わせて設定し、後方へ抜けるのを防止する。プラグ受けリブ７は電源プラグの前方向の動きを規制する。
【００２４】
（Ｃタイプ電源プラグの固定動作）
図８及び図９はＣタイプ電源プラグの固定に関するものである。図８は電源プラグの挿入動作及び挿入状況を示すものであり、図９は電源コードプラグ固定装置によって電源プラグが保持されている状態を示している。
【００２５】
Ｃタイプ電源プラグ１４には２本の円筒状のＣタイプ電源プラグ端子１５がある。図８において、Ｃタイプ電源プラグ端子１５を向かい合わせの二組の爪４に挿入する。そして、受け台座８にＣタイプ電源プラグ端子１５を当接させる。これにより、Ｃタイプ電源プラグ１４の上下の位置が決まる。この状態で、Ｌ状のリブ５にＣタイプ電源プラグ１４の後端が、プラグ受けリブ７にＣタイプ電源プラグ端子１５の先端が当接、あるいは所定のクリアランスを持って嵌合し、これによって、Ｃタイプ電源プラグ１４の前後の位置が決まる。
【００２６】
図９において、向かい合わせの二組の爪４は、例えば樹脂で成形されたもので、その爪形状の下面１３は端子の形状に合わせた形状となっている。Ｃタイプ電源プラグ端子１５を上方から挿入すると向かい合わせの二組の爪４は内側方向へたわみ、更に挿入すると爪形状を乗り越え、受け台８の上面に乗ることになり、向かい合わせの二組の爪４と受け台８によってＣタイプ電源プラグ端子１５がはさまれて上下方向の動きが固定される。Ｌ状のリブ５はＣタイプ電源プラグ１４の寸法に合わせて設定し、後方へ抜けるのを防止する。プラグ受けリブ７は電源プラグの前方向の動きを規制する。
【００２７】
へこませた穴６はＣタイプ電源プラグ１４に干渉しないように設けた凹みで、電源プラグが大型の場合に用いる。なお、へこませた穴６の形状をＣタイプ電源プラグ１４に合わせることによって、上記のＬ状のリブ５及びプラグ受けリブ７にて行う前後方向のずれ防止の役目を果たすこともできる。
【００２８】
（Ｏタイプ電源プラグの固定動作）
図１０及び図１１はＯタイプ電源プラグの固定に関するものである。図１０は電源プラグの挿入動作及び挿入状況を示すものであり、図１１は電源コードプラグ固定装置によって電源プラグが保持されている状態を示している。
【００２９】
Ｏタイプ電源プラグ１６には２本のハの字状のＯタイプ電源プラグ端子１７がある。図１０において、Ｏタイプ電源プラグ端子１７の根元部分を向かい合わせの二組の爪４の側面の斜面に当接するようにし、さらに、背中合わせの爪３に挿入するようにする。Ｏタイプ電源プラグ１６の上下の位置は、Ｏタイプ電源プラグ端子１７が向かい合わせの二組の爪４の側面の斜面に当接することと、プラグ受けリブ７にＯタイプ電源プラグ端子１７が当接することで決まる。Ｏタイプ電源プラグ１６の前後位置については、Ｏタイプ電源プラグ端子１７と向かい合わせの二組の爪４との当接部分が端子の根元とすることで、プラグ部分と向かい合わせの二組の爪４が当接して決まる。
【００３０】
図１１において、背中合わせの爪３及び向かい合わせの二組の爪４は、例えば樹脂で成形されたもので、向かい合わせの二組の爪４の上面１８はＯタイプ電源プラグ端子１７のハの字の傾斜形状に合わせた斜面としている。Ｏタイプ電源プラグ端子１７を上方から挿入すると背中合わせの爪３は内側方向へたわみ、更に挿入するとＯタイプ電源プラグ端子１７は爪形状を乗り越えプラグ受けリブ７の上面に乗ることになり、上方向は背中合わせの爪３によって、下方向はプラグ受けリブ７と上面１８によって、Ｏタイプ電源プラグ端子１７がはさまれて上下方向の動きを固定する。
【００３１】
以上のように、本発明の電源プラグ固定装置は、向かい合わせの二組の爪４、向かい合わせの爪１、背中合わせの爪３、受け台座８、及びプラグ受けリブ７の形状、機能によって、４タイプ全ての電源プラグにおいて規格で形状の決まっている端子部分を保持する構造のため、たとえ電源プラグのメーカーが変わったり、プラグ本体の形状が変わっても安定した固定を可能にするものである。これにより、各国の形状や大きさの異なる数種類のプラグをワンタッチで安定した取り付けを可能にするものである。
【産業上の利用可能性】
【００３２】
本発明にかかる電源コードプラグ固定装置は、通常の金型構造にて構成可能で、形状や大きさの異なる４種類のプラグをワンタッチで安定した取り付けを可能にするものであり、ＡＶ機器の製品輸送時の電源コードプラグを仮固定において有用である。
【図面の簡単な説明】
【００３３】
【図１】本発明の実施の形態に係る電源プラグ固定装置の構成を示した平面図及び断面図
【図２】本発明の実施の形態に係る電源プラグ固定装置の構成を示した外観斜視図
【図３】本発明が対象とする４タイプの電源プラグの外形図
【図４】本発明の実施の形態に係るＢＦタイプ電源プラグの固定状態を示した関係図
【図５】本発明の実施の形態に係るＢＦタイプ電源プラグの固定状態を示した断面図
【図６】本発明の実施の形態に係るＢタイプ電源プラグの固定状態を示した関係図
【図７】本発明の実施の形態に係るＢタイプ電源プラグの固定状態を示した断面図
【図８】本発明の実施の形態に係るＣタイプ電源プラグの固定状態を示した関係図
【図９】本発明の実施の形態に係るＣタイプ電源プラグの固定状態を示した断面図
【図１０】本発明の実施の形態に係るＯタイプ電源プラグの固定状態を示した関係図
【図１１】本発明の実施の形態に係るＯタイプ電源プラグの固定状態を示した断面図
【図１２】従来技術に係る電源プラグ固定装置の構成を示した平面図及び断面図
【符号の説明】
【００３４】
１    向かい合わせの爪
２    角孔
３    背中合わせの爪
４    向かい合わせの二組の爪
５    Ｌ字状のリブ
６    プラグと同一形状にへこませた穴
７    プラグ受けリブ
８    Ｂ／Ｃタイプ電源プラグ端子受け台座
９    ＢＦタイプ電源プラグ
１０    ＢＦタイプ電源プラグ端子
１１    Ｂタイプ電源プラグ
１２    Ｂタイプ電源プラグ端子
１３    上面（Ｂ／Ｃタイプ端子嵌合部）
１４    Ｃタイプ電源プラグ
１５    Ｃタイプ電源プラグ端子
１６    Ｏタイプ電源プラグ
１７    Ｏタイプ電源プラグ端子
１８    Ｏタイプ端子嵌合部
【図１】
2007026791.tif 000003
【図２】
2007026791.tif 000004
【図３】
2007026791.tif 000005
【図４】
2007026791.tif 000006
【図５】
2007026791.tif 000007
【図６】
2007026791.tif 000008
【図７】
2007026791.tif 000009
【図８】
2007026791.tif 000010
【図９】
2007026791.tif 000011
【図１０】
2007026791.tif 000012
【図１１】
2007026791.tif 000013
【図１２】
2007026791.tif 000014